(57)【特許請求の範囲】
【請求項１】
所定範囲を移動する移動体、および前記移動体を移動させるための移動手段を備えた遊技機において、
前記移動手段は、
変位可能に設けられた変位部材と、
前記変位部材に係合し、当該変位部材の変位に伴い移動するとともに、前記移動体に連結された可撓性を有する線形状の係合部材と、
前記係合部材の移動を誘導する誘導部材と、
を備え、
前記誘導部材は一部が曲線状となる屈曲部、および当該屈曲部と繋がる部分であって前記係合部材が嵌まり込む前記係合部材の幅と略同じ幅の溝が形成された直線状の直線部を有し、
前記変位部材の変位によって前記係合部材の一部が前記屈曲部を移動するとき、当該屈曲部によって撓んだ状態で当該屈曲部に沿って移動し、
前記係合部材の一部が前記屈曲部から前記直線部に移動するとき、前記屈曲部による撓みが前記直線部によって直線状に戻されるように構成されており、
前記誘導部材は、前記移動体の移動方向と平行または略平行な第一誘導部、および当該第一誘導部とは異なる方向に延びる第二誘導部を有し、
前記屈曲部が前記第一誘導部と前記第二誘導部との間に介在され、
前記移動体は、複数の移動体を含み、
前記複数の移動体のそれぞれに連結された前記係合部材を誘導する前記誘導部材の前記第一誘導部が、前記移動体の移動方向とは異なる方向において互いに重なるように設けられていることを特徴とする遊技機。
【請求項２】
前記係合部材の全長は、前記移動体の移動範囲よりも長いことを特徴とする請求項１に記載の遊技機。
【請求項３】
前記移動体がいずれの位置に位置する場合でも、前記係合部材の一部が前記屈曲部に位置することを特徴とする請求項１または請求項２に記載の遊技機。
【請求項４】
前記移動体は第一位置と第二位置との間を移動するものであり、
前記移動体が前記第一位置に位置するとき、または前記第二位置に位置するときの少なくともいずれか一方の状態において、前記係合部材の端部側が前記屈曲部に位置することを特徴とする請求項１または請求項２に記載の遊技機。
【請求項５】
前記誘導部材が設けられたケース体を備え、
前記屈曲部によって前記係合部材を屈曲させることにより、前記移動体の移動方向における前記係合部材の大きさが、当該方向における前記ケース体の大きさを超えないように設定されていることを特徴とする請求項１から請求項４のいずれか一項に記載の遊技機。
【請求項６】
前記変位部材は、回転自在に設けられた回転部材であることを特徴とする請求項１から請求項５のいずれか一項に記載の遊技機。
【発明の詳細な説明】
【技術分野】
【０００１】
本発明は、所定範囲を移動する移動体を備えた遊技機に関する。
【背景技術】
【０００２】
下記特許文献１には、歯車およびそれに噛み合うラック（歯竿）を用いて部材（扉部材２４ａ、２４ｂ）を移動させる遊技機が記載されている。
【先行技術文献】
【特許文献】
【０００３】
【特許文献１】特開２００７−５４９号公報
【発明の概要】
【発明が解決しようとする課題】
【０００４】
上記特許文献１のような構造を備える遊技機では、ラックを配置するスペースが確保できず、移動させる部材（移動体）の移動範囲が制限されてしまうことがある。
【０００５】
本発明は、移動体の移動範囲が制限されてしまうのを抑制することが可能な遊技機を提供することを目的とする。
【課題を解決するための手段】
【０００６】
上記課題を解決するためになされた請求項１の発明にかかる遊技機は、所定範囲を移動する移動体、および前記移動体を移動させるための移動手段を備えた遊技機において、前記移動手段は、変位可能に設けられた変位部材と、前記変位部材に係合し、当該変位部材の変位に伴い移動するとともに、前記移動体に連結された可撓性を有する線形状の係合部材と、前記係合部材の移動を誘導する誘導部材と、を備え、前記誘導部材は一部が曲線状となる屈曲部、および当該屈曲部と繋がる部分であって前記係合部材が嵌まり込む前記係合部材の幅と略同じ幅の溝が形成された直線状の直線部を有し、前記変位部材の変位によって前記係合部材の一部が前記屈曲部を移動するとき、当該屈曲部によって撓んだ状態で当該屈曲部に沿って移動し、前記係合部材の一部が前記屈曲部から前記直線部に移動するとき、前記屈曲部による撓みが前記直線部によって直線状に戻されるように構成されており、前記誘導部材は、前記移動体の移動方向と平行または略平行な第一誘導部、および当該第一誘導部とは異なる方向に延びる第二誘導部を有し、前記屈曲部が前記第一誘導部と前記第二誘導部との間に介在され、前記移動体は、複数の移動体を含み、前記複数の移動体のそれぞれに連結された前記係合部材を誘導する前記誘導部材の前記第一誘導部が、前記移動体の移動方向とは異なる方向において互いに重なるように設けられていることを特徴とする。
【０００８】
請求項２に記載の発明は、請求項１に記載の遊技機において、前記係合部材の全長は、前記移動体の移動範囲よりも長いことを特徴とする。
【０００９】
請求項３に記載の発明は、請求項１または請求項２に記載の遊技機において、前記移動体がいずれの位置に位置する場合でも、前記係合部材の一部が前記屈曲部に位置することを特徴とする。
【００１０】
請求項４に記載の発明は、請求項１または請求項２に記載の遊技機において、前記移動体が前記第一位置に位置するとき、または前記第二位置に位置するときの少なくともいずれか一方の状態において、前記係合部材の端部側が前記屈曲部に位置することを特徴とする。
【００１１】
請求項５に記載の発明は、請求項１から請求項４のいずれか一項に記載の遊技機において、前記誘導部材が設けられたケース体を備え、前記屈曲部によって前記係合部材を屈曲させることにより、前記移動体の移動方向における前記係合部材の大きさが、当該方向における前記ケース体の大きさを超えないように設定されていることを特徴とする。
【００１２】
請求項６に記載の発明は、請求項１から請求項５のいずれか一項に記載の遊技機において、前記変位部材は、回転自在に設けられた回転部材であることを特徴とする。  
【発明の効果】
【００１５】
請求項１に記載の発明にかかる遊技機では、係合部材の一部が誘導部材の屈曲部によって屈曲させられる構造であるため、係合部材の全体が、ある特定の方向にのみ沿うように配置する必要がない。よって、従来に比して、係合部材の全長や、配置が制限されてしまうのを抑制することが可能となる。つまり、移動体の移動範囲が制限されてしまうのを抑制することが可能となる。
また、係合部材を変形させつつ（直線状となる状態と屈曲した状態の一方から他方へ変形させつつ）誘導する部材として誘導部材を機能させることが可能である。
また、誘導部材には屈曲部が設けられるから、誘導部材を、移動体の移動方向に延びる第一誘導部と、それとは別の方向に延びる第二誘導部とを有する構成とすることが可能である。
また、複数の移動体を備える場合には、移動体の移動方向とは異なる方向において第一誘導部が互いに重なる構成とすることが可能である。つまり、限られたスペースを利用して、各移動体の移動範囲を大きくすることが可能である。
【００１７】
係合部材の一部を屈曲させることができるため、請求項２に記載の発明のように、係合部材の全長を移動体の移動範囲よりも長くすることが可能である。
【００１８】
請求項３に記載の発明のように、移動体がいずれの位置に位置する場合でも、係合部材の一部が屈曲部に位置するようにすれば、係合部材が移動するときにおける、屈曲部による係合部材の変形を円滑にすることが可能である。
【００１９】
請求項４に記載の発明のように、移動体が第一位置に位置するとき、または第二位置に位置するときの少なくともいずれか一方の状態において、係合部材の端部側が屈曲部に位置するようにすれば、移動体の移動範囲を大きくすることが可能である。
【００２０】
請求項５に記載の発明のように、移動体の移動方向におけるケース体の大きさに限界がある場合でも、係合部材の一部を屈曲させることによって当該方向における係合部材の大きさをケース体の大きさよりも小さくすることで、ケース体に係合部材を配置すること（ケース体に誘導部材を設けること）が可能となる。
【００２１】
請求項６に記載の発明のように、変位部材を回転部材とすることが可能である。
【図面の簡単な説明】
【００２４】
【図１】本実施形態にかかる遊技機の正面図である（発射装置等の公知の部材は省略）。
【図２】第一移動体および第二移動体が第一位置に位置する状態における、移動手段を構成する各部材の位置を模式的に示した図である。
【図３】第一移動体が第二位置に位置し、第二移動体が第一位置に位置する状態における、移動手段を構成する各部材の位置を模式的に示した図である。
【図４】第一移動体および第二移動体が第一位置と第二位置の所定位置に位置する状態における、移動手段を構成する各部材の位置を模式的に示した図である。
【発明を実施するための形態】
【００２５】
以下、本発明にかかる実施形態について図面を参照して詳細に説明する。なお、以下の説明における平面方向とは遊技盤９０の平面方向に沿う（平行な）方向を、前後方向とは遊技盤９０の平面方向に直交する方向（遊技者側を前、その反対側を後とする）を、左右・上下方向とは、遊技盤９０を正面から見たときにおける方向をいうものとする。
【００２６】
まず、図１を参照して遊技機１の全体構成について簡単に説明する。遊技機１は遊技盤９０を備える。遊技盤９０は、ほぼ正方形の合板により成形されており、発射装置の操作によって発射された遊技球をｇ９０２に案内する金属製の薄板からなる帯状のガイドレール９０３が略円弧形状となるように設けられている。
【００２７】
遊技領域９０２には、表示装置９１、第一始動入賞口９０４、第二始動入賞口９０５、大入賞口９０６、アウト口９０７などが設けられている。表示装置９１は、例えば液晶表示装置が用いられ、表示装置９１の表示画面（表示部）において特別図柄や普通図柄等が表示される。かかる表示装置９１の表示画面は、遊技盤９０に形成された開口９０１を通じて視認可能である。
【００２８】
遊技盤９０は、その後方に設けられるケース体３０（図２〜図４参照）に支持されている。ケース体３０には、移動体１０や移動手段２０等、種々の部材が配置される。移動体１０や移動手段２０の構成およびその作用については後述する。なお、本実施形態における遊技盤９０は一部が透明または半透明であり、移動体１０の一部が遊技盤９０に重なったとしても、遊技盤９０の透明または半透明な部分を通じて移動体１０を視認することが可能である。
【００２９】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００３０】
このような遊技機１では、発射装置を操作することにより遊技領域９０２に向けて遊技球を発射する。遊技領域９０２を流下する遊技球が、９０４、９０５や大入賞口９０６等の入賞口に入賞すると、所定の数の賞球が払出装置により払い出される。その他、大当たりの抽選方法や演出等は、公知の遊技機と同様のものが適用できるため、説明は省略する。
【００３１】
以下、図２〜図４を参照して移動体１０およびこの移動体１０を移動させるための移動手段２０の構成について説明する。移動体１０は、所定範囲を移動する演出効果を発現する部材である。本実施形態にかかる遊技機１は、二つの移動体１０（第一移動体１１および第二移動体１２）を備える。第一移動体１１は、幅方向右側の第一位置（原位置）と幅方向左側の第二位置（終端位置）との間を往復動可能である。第二移動体１２は、幅方向左側の第一位置（原位置）と幅方向右側の第二位置（終端位置）との間を往復動可能である。両移動体１０は、上下方向における少なくともいずれか一方が、幅方向に延びるレール１０１に支持されている。両移動体１０は、このレール１０１に誘導されて往復動する。本実施形態では、第一移動体１１と第二移動体１２は前後方向位置が同じであり、両移動体を支持するレール１０１は共通である。各移動体を支持するレールを別々に設置してもよい。
【００３２】
移動手段２０は、上記移動体１０を移動させるための駆動機構である。なお、第一移動体１１を移動させる移動手段２０と、第二移動体１２を移動させる移動手段２０は、左右対称に配置されるだけであってその構造は同じである。以下の説明は、第一移動体１１と第二移動体１２を区別して言及する場合を除き、第一移動体１１を移動させる移動手段２０についてのものである（第二移動体１２の移動手段２０を構成する各部材の位置や形状等は左右反対になる）。
【００３３】
本実施形態における移動手段２０は、駆動歯車２１（本発明における変位部材、回転部材に相当する）、ラック２２（本発明における係合部材に相当する）、誘導部材２３を備える。駆動歯車２１は、駆動源であるモータ（図示せず）によって回転する。モータと駆動歯車２１の間には、一または複数の歯車（歯車輪列）等が介在されていてもよい。本実施形態における駆動歯車２１は、ケース体３０の左上に取り付けられている。この駆動歯車２１にラック２２が噛み合っている。かかるラック２２は、可撓性を有する（撓み変形可能な）いわゆるフレキシブルラックである。本実施形態では、ラック２２と移動体１０は連結部材２４を介して接続されている。なお、一方の移動体１０に接続される連結部材２４は、他方の移動体１０に接続される連結部材２４や誘導部材２３に干渉しないような構造となっている。移動体１０は、ラック２２の右側端部（当該移動体１０に接続された側の端部を接続端部２２１と、反対側の端部を反対端部２２２と称する）に連結部材２４を介して接続されている。ラック２２と移動体１０の連結構造はかかる構造に限定されない。ラック２２に対し移動体１０が直接接続されていてもよい。ラック２２の全長は、移動体１０の移動範囲よりも長い。
【００３４】
誘導部材２３は、ラック２２を誘導する部材である。本実施形態における誘導部材２３は、ケース体３０に固定されている。ケース体３０と一体に成形された部材であってもよい。誘導部材２３は、ラック２２が嵌まり込むことが可能な細長い溝が形成された部材である。誘導部材２３（に形成された溝）は、第一誘導部２３１、第二誘導部２３２および屈曲部２３３に区分けされる。
【００３５】
第一誘導部２３１は、移動体１０の移動方向と平行または略平行（幅方向）に延びる直線状の部分である。本実施形態では、第一誘導部２３１はケース体３０の上側縁に沿って設けられ、その端部（誘導部材２３の端部でもある）は、幅方向中央よりも右側に位置する。第二誘導部２３２は、第一誘導部２３１とは異なる方向に延びる直線状の部分である。本実施形態における第二誘導部２３２は、ケース体３０の左側縁に沿って上下方向に延びる。屈曲部２３３は、第一誘導部２３１と第二誘導部２３２の間に介在された部分であって、所定の曲率で湾曲した部分である。屈曲部２３３は、ケース体３０の左上に位置する。
【００３６】
かかる誘導部材２３の誘導部となる溝に、ラック２２がその長手方向に移動（スライド）可能となるように嵌め込まれている。上記屈曲部２３３の曲率は、屈曲部２３３内に位置することによって撓む（弾性変形する）ラック２２が塑性変形しないような値であればよい。ラック２２の全長は、第一誘導部２３１の長さよりも長い。また、ラック２２の全長は、第二誘導部２３２の長さよりも長い。そのため、ラック２２がどの位置に位置する場合であっても、当該ラック２２の一部は屈曲部２３３内に位置する。つまり、ラック２２の一部は常に屈曲部２３３によって撓んでいる。また、ラック２２の全長は、ケース体３０の幅よりも大きい。したがって、ラック２２が撓むことのできない構造であれば、ラック２２の全部を収容する誘導部材２３をケース体３０に構築することができないところ、本実施形態では、ラック２２の一部が屈曲部２３３によって撓むため、ラック２２の全体が誘導部材２３内に収容される。
【００３７】
また、両移動体１０の移動範囲を大きくするために、第一移動体１１を移動させるためのラック２２を誘導する誘導部材２３の第一誘導部２３１と、第二移動体１２を移動させるためのラック２２を誘導する誘導部材２３の第一誘導部２３１とは、一部が上下方向において互いに重なっている。
【００３８】
このような構成を備える移動手段２０により、移動体１０は次のように動作する。移動体１０が第一位置（原位置）に位置するとき、ラック２２の接続端部２２１は誘導部材２３の第一誘導部２３１の右端に位置する。つまり、ラック２２は、最大限幅方向右側に寄った状態にある。この移動体１０が第一位置に位置する状態（ラック２２が最大限幅方向右側に寄った状態）にあるときでも、ラック２２の反対端部２２２は屈曲部２３３内に位置する。
【００３９】
移動体１０を第一位置から第二位置に向かって移動させる際には、駆動源であるモータを一方に回転（正転）させる。そうすると、その動力が駆動歯車２１を介してラック２２に伝達され、当該ラック２２が誘導部材２３に誘導されて当該誘導部材２３内を移動する。具体的には、接続端部２２１が第一誘導部２３１内を幅方向左に向かって変位する方向にラック２２が移動する。ラック２２が移動していくと、屈曲部２３３によって変形する部分はだんだんと接続側端部側に変化していく。屈曲部２３３によって変形していた箇所は、第二誘導部２３２によって直線状に戻されていく。ラック２２の反対端部２２２は、屈曲部２３３から第二誘導部２３２内に進入し、当該第二誘導部２３２内を下に向かって移動していく。モータを一方に回転させようとする時点で、ラック２２の反対端部２２２は屈曲部２３３内に位置しているため、ラック２２の反対端部２２２は、スムーズに第二誘導部２３２内に進入する。また、ラック２２の一部はスムーズに屈曲部２３３内に進入する。仮に、移動体１０が第一位置に位置するとき、ラック２２の全体が第一誘導部２３１内に位置する構成であるとすると、ラック２２の反対端部２２２が屈曲部２３３内に進入する際、ラック２２が屈曲部２３３の入口で詰まるように変形するおそれがあるところ、本実施形態では、移動体１０が第一位置に位置する時点で、ラック２２の反対端部２２２が屈曲部２３３内に位置しているから、このような事象が発生してしまうおそれが低減される。
【００４０】
このラック２２の移動に伴い、連結部材２４を介してラック２２に接続された移動体１０は、幅方向左、すなわち第二位置に向かって移動する。上述したように、このように一方の移動体１０が移動したとしても、他方の移動体１０に干渉することはない。
【００４１】
所定量駆動源であるモータを一方に回転させると、移動体１０が第二位置に到達する。つまり、移動体１０は幅方向左側に位置した状態となる。なお、本実施形態では、第一移動体１１と第二移動体１２の前後方向位置が同じであるため、第二移動体１２を第一位置に位置させた状態にある場合にのみ、第一移動体１１を第二位置に位置させることができる（第二移動体１２の場合も同様である）。両移動体１０の前後方向位置を異ならせた構造（両移動体１０が互いに干渉せずに移動することができる構造）としてもよい。例えば、前後方向位置が異なるレールに各移動体１０を支持させることで、両者が互いに干渉せずに移動することが可能となる。かかる場合は、一方の移動体１０を、他方の移動体１０の位置に拘わらず、第一位置と第二位置の間を自在に往復動させることができる。
【００４２】
第二位置に位置する移動体１０を第一位置に移動させる場合には、モータを他方に回転（逆転）させる。そうすると、ラック２２は屈曲部２３３によって変形する箇所および第一誘導部２３１によって直線状に戻る箇所を変化させつつ、誘導部材２３内を逆方向に移動する。つまり、移動体１０が幅方向右側に向かって移動する。移動体１０が第二位置に位置する時点で、ラック２２の一部（接続端部２２１側の一部）は屈曲部２３３内に位置するから、ラック２２の移動はスムーズである（ラック２２が屈曲部２３３の入口で詰まるように変形するおそれが低減される）。
【００４３】
このように移動手段２０によって移動される移動体１０（第一移動体１１と第二移動体１２）は、それぞれの位置を制御することによって、次のような態様（演出態様）に変化する。両移動体１０が第一位置に位置するときには、互いに最も離れた状態にある（図２参照）。一方の移動体１０を第一位置に位置させたまま、他方の移動体１０を第二位置に位置させると、幅方向一方側で両移動体１０が接触または近接した状態となる（図３参照）。両移動体１０が第一位置と第二位置との間の所定位置に位置するときには、幅方向中央で両移動体１０が接触または近接した状態となる（図４参照）。例えば、移動体１０が画像表示機能を備える装置である場合、両移動体１０を接触または近接した状態とすることで、両者を合わせた画像を表示することが可能である。
【００４４】
以上説明したように、本実施形態にかかる遊技機１では、ラック２２の一部が誘導部材２３の屈曲部２３３によって屈曲させられる構造であるため、ラック２２の全体が、ある特定の方向にのみ沿うように配置する必要がない。よって、従来に比して、ラック２２の全長や、配置が制限されてしまうのを抑制することが可能となる。つまり、移動体１０の移動範囲が制限されてしまうのを抑制することが可能となる。
【００４５】
また、移動体１０を移動させる際にはラック２２を変形させることになるが、誘導部材２３によって、ラック２２の変形と移動がスムーズになされる。つまり、誘導部材２３を、ラック２２の一部を変形させるとともに一部を直線状に戻しながら、当該ラック２２全体を誘導する部材として誘導部材２３を機能させることが可能である。
【００４６】
また、ラック２２の一部が屈曲した状態にあるから、ラック２２の全長を移動体１０の移動範囲よりも長くすることが可能である。
【００４７】
また、移動体１０がいずれの位置に位置する場合でも、ラック２２の一部が屈曲部２３３に位置するから、ラック２２が移動するときにおける、屈曲部２３３によるラック２２の変形を円滑にすること（ラック２２が屈曲部２３３の入口で詰まるように変形するおそれを低減すること）が可能である。特に、移動体１０が第一位置に位置するとき、または第二位置に位置するときの少なくともいずれか一方の状態において（本実施形態では移動体１０が第一位置に位置するときにおいて）、ラック２２の端部（本実施形態では反対端部２２２）が屈曲部２３３に位置するように構成されているため、屈曲部２３３による円滑なラック２２の変形作用を確保しつつ、移動体１０の移動範囲を大きくすることが可能である。
【００４８】
また、ラック２２は一部が屈曲させられるものであるから、移動体１０の移動方向（幅方向）におけるラック２２の大きさ（移動体１０が第一位置に位置するとき、当該方向におけるラック２２の大きさが最大となる）は、当該方向におけるケース体３０の大きさを超えることがない。つまり、ケース体３０にラック２２を配置することが可能となる。
【００４９】
また、第一移動体１１を移動させるためのラック２２を誘導する誘導部材２３の第一誘導部２３１の少なくとも一部と、第二移動体１２を移動させるためのラック２２を誘導する誘導部材２３の第一誘導部２３１の少なくとも一部が上下方向（移動体の移動方向と交差する方向）において互いに重なっているため、限られたスペースを利用して、複数の移動体１０それぞれの移動範囲を大きくすることが可能である。
【００５０】
以上、本発明の実施の形態について詳細に説明したが、本発明は上記実施の形態に何ら限定されるものではなく、本発明の要旨を逸脱しない範囲で種々の改変が可能である。
【００５１】
上記実施形態では、各誘導部材２３に屈曲部２３３が一箇所形成されていることを説明したが、複数個所形成された構成としてもよい。また、第一誘導部２３１や第二誘導部２３２は直線形状であればよく、その延びる方向は特定の方向に限定されない。誘導部材２３が設けられるケース体３０を最大限利用するのであれば、第一誘導部２３１や第二誘導部２３２はケース体３０の側縁に沿う形状であることが好ましい。また、各誘導部材２３に直線形状の誘導部が一箇所のみ形成された構成としてもよいし、三箇所以上形成された構成（屈曲部２３３が二箇所以上となる構成）としてもよい。このようにすれば、ケース体３０内に収まる範囲で、ラック２２を長くすることができる。
【００５２】
上記実施形態では、二つの移動体１０（第一移動体１１および第二移動体１２）が設けられることを説明したが、一つであってもよい。また、三つ以上の移動体１０が設けられていてもよい。また、第一移動体１１と第二移動体１２はともに幅方向に移動するものであることを説明したが、各移動体１０の移動方向は異なっていてもよい。
以下、上記実施形態から得られる具体的手段（遊技機）を列挙する。
手段１にかかる遊技機は、所定範囲を移動する移動体、および前記移動体を移動させるための移動手段を備えた遊技機において、前記移動手段は、変位可能に設けられた変位部材と、前記変位部材に係合し、当該変位部材の変位に伴い移動するとともに、前記移動体に連結された可撓性を有する線形状の係合部材と、前記係合部材の移動を誘導する誘導部材と、を備え、前記誘導部材は一部が曲線状となる屈曲部を有し、前記変位部材の変位によって前記係合部材の一部が前記屈曲部を移動するとき、当該屈曲部によって撓んだ状態で当該屈曲部に沿って移動するように構成されていることを特徴とする。
手段２にかかる遊技機は、手段１に記載の遊技機において、前記誘導部材は、前記屈曲部と繋がる直線状の直線部を有し、前記係合部材は、その一部が前記屈曲部から前記直線部に移動するときに、前記屈曲部による撓みが前記直線部によって直線状に戻されることを特徴とする。
手段３にかかる遊技機は、手段１または手段２に記載の遊技機において、前記係合部材の全長は、前記移動体の移動範囲よりも長いことを特徴とする。
手段４にかかる遊技機は、手段１から手段３のいずれかに記載の遊技機において、前記移動体がいずれの位置に位置する場合でも、前記係合部材の一部が前記屈曲部に位置することを特徴とする。
手段５にかかる遊技機は、手段１から手段３のいずれかに記載の遊技機において、前記移動体が前記第一位置に位置するとき、または前記第二位置に位置するときの少なくともいずれか一方の状態において、前記係合部材の端部側が前記屈曲部に位置することを特徴とする。
手段６にかかる遊技機は、手段１から手段５のいずれかに記載の遊技機において、前記誘導部材が設けられたケース体を備え、前記屈曲部によって前記係合部材を屈曲させることにより、前記移動体の移動方向における前記係合部材の大きさが、当該方向における前記ケース体の大きさを超えないように設定されていることを特徴とする。
手段７にかかる遊技機は、手段１から手段６のいずれかに記載の遊技機において、前記変位部材は、回転自在に設けられた回転部材であることを特徴とする。  
手段８にかかる遊技機は、手段１から手段７のいずれかに記載の遊技機において、前記誘導部材は、前記移動体の移動方向と平行または略平行な第一誘導部、および当該第一誘導部とは異なる方向に延びる第二誘導部を有し、前記屈曲部が前記第一誘導部と前記第二誘導部との間に介在されていることを特徴とする。
手段９にかかる遊技機は、手段８に記載の遊技機において、前記移動体は、複数の移動体を含み、前記複数の移動体のそれぞれに連結された前記係合部材を誘導する前記誘導部材の前記第一誘導部が、前記移動体の移動方向とは異なる方向において互いに重なるように設けられていることを特徴とする。
手段１にかかる遊技機では、係合部材の一部が誘導部材の屈曲部によって屈曲させられる構造であるため、係合部材の全体が、ある特定の方向にのみ沿うように配置する必要がない。よって、従来に比して、係合部材の全長や、配置が制限されてしまうのを抑制することが可能となる。つまり、移動体の移動範囲が制限されてしまうのを抑制することが可能となる。
手段２にかかる遊技機のように、係合部材を変形させつつ（直線状となる状態と屈曲した状態の一方から他方へ変形させつつ）誘導する部材として誘導部材を機能させることが可能である。
係合部材の一部を屈曲させることができるため、手段３にかかる遊技機のように、係合部材の全長を移動体の移動範囲よりも長くすることが可能である。
手段４にかかる遊技機のように、移動体がいずれの位置に位置する場合でも、係合部材の一部が屈曲部に位置するようにすれば、係合部材が移動するときにおける、屈曲部による係合部材の変形を円滑にすることが可能である。
手段５にかかる遊技機のように、移動体が第一位置に位置するとき、または第二位置に位置するときの少なくともいずれか一方の状態において、係合部材の端部側が屈曲部に位置するようにすれば、移動体の移動範囲を大きくすることが可能である。
手段６にかかる遊技機のように、移動体の移動方向におけるケース体の大きさに限界がある場合でも、係合部材の一部を屈曲させることによって当該方向における係合部材の大きさをケース体の大きさよりも小さくすることで、ケース体に係合部材を配置すること（ケース体に誘導部材を設けること）が可能となる。
手段７にかかる遊技機のように、変位部材を回転部材とすることが可能である。
手段８にかかる遊技機のように、誘導部材には屈曲部が設けられるから、誘導部材を、移動体の移動方向に延びる第一誘導部と、それとは別の方向に延びる第二誘導部とを有する構成とすることが可能である。
手段９にかかる遊技機のように、複数の移動体を備える場合には、移動体の移動方向とは異なる方向において第一誘導部が互いに重なる構成とすることが可能である。つまり、限られたスペースを利用して、各移動体の移動範囲を大きくすることが可能である。
【符号の説明】
【００５３】
１  遊技機
１０  移動体（１１  第一移動体、１２  第二移動体）
２０  移動手段
２１  駆動歯車（変位部材、回転部材）
２２  ラック（係合部材）
２２１  接続端部
２２２  反対端部
２３  誘導部材
２３１  第一誘導部  
２３２  第二誘導部
２３３  屈曲部
３０  ケース体
【図１】
0005962693.tif 000002
【図２】
0005962693.tif 000003
【図３】
0005962693.tif 000004
【図４】
0005962693.tif 000005